(57)【要約】【課題】立体視部分と変化視部分とを混在配置して形成することができるレンチキュラー効果印刷物を提供する。【解決手段】レンチキュラー効果印刷物１は、立体視用の縦条のレンチキュラーレンズ５ｐを形成した屈折部５と、この屈折部５と対応する立体視用の印刷画像４ｐを形成した画像部４とを立体視用の関係位置に配置固定して構成され、上記屈折部５にはその一部の部分Ｍに変化視用の横条のレンチキュラーレンズ５ｍを一体に形成し、かつ、同屈折部５の上記一部の部分Ｍと対応する画像部４の部分には変化視用の画像４ｍを変化視用の関係位置に一体に形成したものである。【選択図】図１
2006227081.tif 000002
【特許請求の範囲】
【請求項１】
立体視用の縦条のレンチキュラーレンズを形成した屈折部と、この屈折部と対応する立体視用の印刷画像を形成した画像部とを立体視用の関係位置に配置固定したレンチキュラー効果印刷物において、上記屈折部にはその一部の部分のみに変化視用の横条のレンチキュラーレンズを一体に形成し、かつ、同屈折部の上記一部の部分と対応する画像部の部分には変化視用の画像を変化視用の関係位置に一体に形成したことを特徴とするレンチキュラー効果印刷物。
【請求項２】
前記画像部は、多色印刷が可能なシート材に画像を印刷した画像シートからなることを特徴とする請求項１記載のレンチキュラー効果印刷物。
【請求項３】
前記屈折部は、その前記一部の部分を除いた残余部分について縦条のレンチキュラーレンズを形成するための成形型と、前記一部の部分と対応して横条のレンチキュラーレンズを形成するための成形型とを互いに嵌合して一体に構成した一体成形型によりシート状に形成した屈折シートからなることを特徴とする請求項１記載のレンチキュラー効果印刷物。
【請求項４】
前記成形型は、前記屈折部を射出充填成形するための金型、前記屈折部を押圧転写成形するための金型、または前記屈折部を印刷加工成形するための印刷原版のいずれかからなることを特徴とする請求項３記載のレンチキュラー効果印刷物。
【請求項５】
レンチキュラー効果印刷物の屈折部の立体視用領域に縦条のレンチキュラーレンズを形成するための成形型と同屈折部の変化視用領域に横条のレンチキュラーレンズを形成するための成形型とを同屈折部上の領域配置と対応して一体に構成したレンチキュラー効果印刷物の屈折部形成用の成形型。
【発明の詳細な説明】
【技術分野】
【０００１】
本発明は、レンチキュラーレンズによる屈折部を画像部の表面に備えて立体視または変化視を可能とするレンチキュラー効果印刷物及びその屈折部形成用の成形型に関するものである。
【背景技術】
【０００２】
レンチキュラー効果印刷物は、特許文献１に示すように、印刷等によって形成した画像部の表面にレンチキュラーレンズによる屈折部を備え、その屈折部に形成した縦条のレンチキュラーレンズの作用により、視差画像を左眼と右眼のそれぞれに対応入射して立体視を可能とし、または、視線の角度（俯角）に応じて画像が変化する変化視を可能とするものである。
【０００３】
詳細には、このレンチキュラー効果印刷物は、平面の画像でありながら遠近感があり立体的に見えるように、あらかじめ左右の目それぞれの位置から見た視差画像を縦方向に多数の線状帯に分けて印刷し、これら異なる画像の線状帯を一つずつ順次に並べ一枚のシートに配列印刷して画像部を形成し、その上に線状帯のピッチと方向に合わせたかまぼこ状の微細レンズの集合体からなる屈折部を成形型により形成することにより作成することができる。
【０００４】
また、屈折部に横条のレンチキュラーレンズを形成することにより、その角度（俯角）に応じて画像が変化する変化視用印刷物を構成することができ、この場合についても、上記立体視用印刷物と同様の手順により製造することができる。
【０００５】
しかし、上記の立体視用または変化視用のレンチキュラー効果印刷物は、それぞれ同様の手順により製造することができる一方で、屈折部の条方向が互いに相違するので、屈折部に両者を混在配置して形成することが困難であり、さらに、上記屈折部と画像部との位置関係はそれぞれの方向と配置について高精度の合わせ操作が必要となり、また、縦条と横条について同時に位置合わせをすることの困難性から、立体視用と変化視用とを混在配置したレンチキュラー効果印刷物を製造することができなかった。
【特許文献１】特許第３０１６８７６号公報
【発明の開示】
【発明が解決しようとする課題】
【０００６】
解決しようとする問題点は、立体視部分と変化視部分とを混在配置して形成することができるレンチキュラー効果印刷物を提供することにある。
【課題を解決するための手段】
【０００７】
請求項１に係る発明は、立体視用の縦条のレンチキュラーレンズを形成した屈折部と、この屈折部と対応する立体視用の印刷画像を形成した画像部とを立体視用の関係位置に配置固定したレンチキュラー効果印刷物において、上記屈折部にはその一部の部分のみに変化視用の横条のレンチキュラーレンズを一体に形成し、かつ、同屈折部の上記一部の部分と対応する画像部の部分には変化視用の画像を変化視用の関係位置に一体に形成したことを特徴とする。
【０００８】
上記屈折部および画像部は、それぞれが立体視用に形成されて構成されるとともに、それぞれの一部を変化視用として互いに対応して一体に形成したことから、両者を相互の関係条件を満たす位置に配置することにより立体視用部分および変化視用部分が混在したレンチキュラー効果印刷物が構成される。
【０００９】
請求項２に係る発明は、請求項１の構成において、前記画像部は、多色印刷が可能なシート材に画像を印刷した画像シートからなることを特徴とする。このレンチキュラー効果印刷物の画像部は、多色印刷の適用が可能となる。
【００１０】
請求項３に係る発明は、請求項１の構成において、前記屈折部は、その前記一部の部分を除いた残余部分について縦条のレンチキュラーレンズを形成するための成形型と、前記一部の部分と対応して横条のレンチキュラーレンズを形成するための成形型とを互いに嵌合して一体に構成した一体成形型によりシート状に形成した屈折シートからなることを特徴とする。上記屈折部は、一体成形型により、立体視部分と変化視部分とが一体に混合配置された屈折シートとして構成され、この屈折シートにより所要のレンチキュラー効果印刷物が構成される。
【００１１】
請求項４に係る発明は、請求項３の構成において、前記成形型は、前記屈折部を射出充填成形するための金型、前記屈折部を押圧転写成形するための金型、または前記屈折部を印刷加工成形するための印刷原版のいずれかからなることを特徴とする。上記屈折部は、射出充填成形、押圧転写成形、または印刷加工成形のいずれかを適用することによって形成することができる。
【００１２】
請求項５に係る発明のレンチキュラー効果印刷物の屈折部形成用の成形型は、レンチキュラー効果印刷物の屈折部の立体視用領域に縦条のレンチキュラーレンズを形成するための成形型と同屈折部の変化視用領域に横条のレンチキュラーレンズを形成するための成形型とを同屈折部上の領域配置と対応して一体に構成したものである。上記成形型により、立体視用領域と変化視用領域が一体の屈折部が形成される。
【発明の効果】
【００１３】
本発明は以下の効果を奏する。
請求項１の構成により、屈折部および画像部は、それぞれの一部の部分を除いた残余部分が対応して立体視用に形成され、また、それぞれの一部の部分を変化視用に対応して一体に形成したことから、両者を相互の関係条件を満たす位置に配置することにより立体視部分と変化視部分とが混在したレンチキュラー効果印刷物が構成される。したがって、上記レンチキュラー効果印刷物は、単一の印刷物でありながら立体視部分と変化視部分とが混在した複合表示による多様な表現効果を得ることができる。
【００１４】
請求項２の構成により、レンチキュラー効果印刷物の画像部は、多色印刷の画像シートにより、高度の色彩効果が得られる。
【００１５】
請求項３の構成により、一体成形型によって立体視部分と変化視部分とが一体に混合配置された屈折シートが形成されることから、この屈折シートによる屈折部を画像部に対して所定の関係位置に配置することによって所要のレンチキュラー効果印刷物を構成することができる。
【００１６】
請求項４の構成により、射出充填成形、押圧転写成形、印刷加工成形のいずれかを適用して屈折部を形成することができる。したがって、各種の工法の適用により幅広い条件に対応して屈折部を形成することができる。
【００１７】
請求項５の構成の成形型により、立体視用領域と変化視用領域が一体の屈折部が形成され、この屈折部によ立体視用領域と変化視用領域が混在したりレンチキュラー効果印刷物を構成することができる。
【発明を実施するための最良の形態】
【００１８】
本発明の実施の形態について以下に図面に基づいて詳細に説明する。
図１は本発明のレンチキュラー効果印刷物の領域割付け図（例１）である。
本発明のレンチキュラー効果印刷物１は、その画像面上に境界線Ｆを設定して立体視用領域Ｐと変化視用領域Ｍとを混在配置したものである。図例では、縦長構成の画像面の上半分の一部を閉じた境界線Ｆで分けて領域割付けし、境界線Ｆの外周側部分に立体視用領域Ｐを設定し、また、内周側部分に変化視用領域Ｍを設定した例である。このレンチキュラー効果印刷物１の詳細な作成方法について以下に説明する。
【００１９】
上記レンチキュラー効果印刷物１は、カード等の合成樹脂ベースに印刷画像を形成した画像部４と、透明シート状にレンチキュラーレンズを形成した屈折部５とを密接配置するように構成される。
【００２０】
画像部４には、その立体視用の領域Ｐに左右方向の視差を有する複数の画面による立体視用画像４ｐを配置し、変化視用の領域Ｍに変化過程と対応する複数の画面による変化視用画像４ｍを配置し、これら両画像４ｐ、４ｍを一体に印刷したものである。また、屈折部５には、立体視用の領域Ｐに立体視用画像４ｐと対応する縦条のレンチキュラーレンズ５ｐを配置し、変化視用の領域Ｍに変化視用画像４ｍと対応する横条のレンチキュラーレンズ５ｍを配置し、これら両レンズ５ｐ、５ｍを一体に形成したものである。
【００２１】
上記画像部４の印刷に使用する印刷原版の作成工程は、図２の工程図に示すように、上記領域割付けに沿い、立体視用画像４ｐと変化視用画像４ｍの両画像のはめ込み等の一体化処理によって一体画像を作成し、この一体画像を印刷機仕様に応じた寸法に配列展開して製版する。この印刷原版を印刷機にセットして多色印刷することにより、彩色性に富み、かつ、高精細（例えば、７００ｄｐｉ）の立体視用画像４ｐと変化視用画像４ｍを一体化した画像シートを得ることができる。
【００２２】
屈折部５は、塩化ビニル樹脂、アクリル樹脂等のレンズ用合成樹脂材により成形型を用いてレンチキュラーレンズを成形することにより行う。そのレンズ成形に使用する成形型は、射出充填成形や押圧転写成形の場合はアルミ合金等による金型を機械加工等により作成し、印刷加工成形の場合はレンズ材を印刷転写するための印刷原版を作成する。
【００２３】
成形型の作成工程は、図３の工程図に示すように、上記領域割付けに基づき、立体視用の領域Ｐと変化視用の領域Ｍをその境界線Ｆで分け、この境界線Ｆの内外のそれぞれの成形型を作成し、これらをはめ込み構成等によって一体成形型を作成する。
【００２４】
すなわち、立体視用画像４ｐと対応する縦条のレンチキュラーレンズ５ｐを形成するために境界線Ｆの内部を除いた成形型、および、変化視用画像４ｍと対応する横条のレンチキュラーレンズ５ｍを形成するために境界線Ｆの内部のみの成形型を作成し、これらをはめ込んで一体成形型を製作する。
【００２５】
この一体成形型は、立体視用の縦条のレンチキュラーレンズ５ｐと変化視用の横条のレンチキュラーレンズ５ｍがそれぞれの領域Ｐ，Ｍと対応して一体に構成されていることから、この一体成形型を用いて射出充填成形、押圧転写成形、印刷加工成形等により屈折部５の両レンズ５ｐ、５ｍを一体成形することができる。
【００２６】
上記屈折部５は、具体的には、０．２５ｍｍの条ピッチのレンチキュラーレンズを射出充填成形等により屈折シートとして形成した場合において、同屈折シートの条ピッチ幅内を１０画面分割した画像部４と位置合わせして貼着することにより、立体視用と変化視用の領域とが混在した高精細のレンチキュラー効果印刷物１を作成することができる。また、逆に、屈折部５をシート状に形成した屈折シートの底面に印刷工程により画像部４を直接形成する方法、画像部４にレンズ用樹脂シートを重ね、その表面に押圧転写成形により屈折部５を成形しつつ画像部４と貼着する方法、画像部４の印刷工程から連続して印刷加工成形により同画像部４の表面に屈折部５を直接形成する方法等により、立体視用と変化視用の領域とが混在したレンチキュラー効果印刷物１を作成することができる。
【００２７】
また、領域割付けについては上記割付け例に限ることなく、図４の領域割付け図（例２）のように、開いた境界線Ｆによってその内外を立体視用の領域Ｐと変化視用の領域Ｍとを分ける場合も、その境界線Ｆの内外のそれぞれの成形型を作成して一体成形型を構成することができることから、前記同様にしてレンチキュラー効果印刷物１を構成することができる。そのほか、立体視用の領域Ｐと変化視用の領域Ｍ内をさらに複数部分に分け、または、複数の境界線Ｆを設定することによって多様な構成が可能となる。
【図面の簡単な説明】
【００２８】
【図１】本発明のレンチキュラー効果印刷物の領域割付け図（例１）である。
【図２】印刷原版の作成工程図である。
【図３】成形型の作成工程図である。
【図４】本発明のレンチキュラー効果印刷物の領域割付け図（例２）である。
【符号の説明】
【００２９】
１    レンチキュラー効果印刷物
４    画像部
４ｍ    変化視用画像
４ｐ    立体視用画像
５    屈折部
５ｍ    変化視用レンチキュラーレンズ
５ｐ    立体視用レンチキュラーレンズ
Ｆ    領域境界線
Ｍ    変化視用領域
Ｐ    立体視用領域
【図１】
2006227081.tif 000003
【図２】
2006227081.tif 000004
【図３】
2006227081.tif 000005
【図４】
2006227081.tif 000006